(57)【要約】【課題】２つの開閉片を接合部材によって開閉可能に接合した装身具用留め具に関し、着用者が該装身具用留め具を操作し易くするとともに、着用者が該装身具用留め具を操作する際の指の痛みを軽減し、該開閉片が正確に閉じ合わされていることを着用者が確認でき、該開閉片が過度に開いてしまうことを防止し、該開閉片を接合する間隔を適宜調節でき、該開閉片が接触する面積を低減した装身具用留め具を提供する。【解決手段】装身具用留め具１は、第１の開閉片２と第２の開閉片３とが接合部材４によって対向するようにして接合されている。第１の開閉片２は、取付部２ａと、接合部２ｂと、接合部材取付孔２ｃと、装身具取付け孔２ｇを有する。第２の開閉片３は、閉鎖腕３ａと、接合腕３ｂと、接合部材取付孔３ｃとを有する。接合部材４は、双方の接合部材取付部２ｃ、３ｃに挿通され取り付けられる。【選択図】      図５
2018108299.tif 000002
【特許請求の範囲】
【請求項１】
２つの開閉片を接合部材によって開閉可能に接合した装身具用留め具であって、第１の開閉片と、第２の開閉片と、接合部材とからなり、該第１の開閉片と該第２の開閉片とは、該接合部材によって対向するようにして接合されており、該第１の開閉片は、平板状の部材によって形成されていて、取付部と、接合部とを有しており、該取付部は、装身具の一端部に穿設されている取付孔を挿通させてこれを取り付けるための箇所であり、フック状であって開口部を形成しており、該装身具用留め具を閉じた際にその一端側が該第２の開閉片における閉鎖部に対向し、該接合部は、該取付部の他端側に連接しており、該第１の開閉片と該第２の開閉片とを接合するための箇所であって、接合部材取付孔を有しており、該接合部材取付孔は、該接合部材を挿通させてこれを取り付けるための孔部であり、該第２の開閉片は、平板状の部材によって形成されていて、閉鎖部と、接合部とを有しており、該閉鎖部は、該装身具用留め具を閉じた際に、該第１の開閉片における取付部に対向することによって、該開口部を閉鎖するための箇所であり、該接合部は、該第１の開閉片と該第２の開閉片とを接合するための箇所であって、該閉鎖部に連接しており、接合部材取付孔を有しており、該接合部材取付孔は、該第１の開閉片における接合部材取付孔に対向する位置に設けられており、該接合部材を挿通させてこれを取り付けるための孔部であり、装身具取付け孔は、該装身具用留め具に装身具の他端を取り付けるための孔部であって、第１の開閉片又は第２の開閉片に設けられており、該接合部材は、該第１の開閉片と該第２の開閉片とを開閉可能に接合するための棒状の部材であって、該第１の開閉片における接合部材取付孔と該第２の開閉片における接合部材取付孔とに挿通され取り付けられていることを特徴とする装身具用留め具。
【請求項２】
請求項１に記載した装身具用留め具であって、前記第１の開閉片及び／又は前記第２の開閉片は、操作部を有しており、該操作部は、着用者が該第１の開閉片と該第２の開閉片の開閉操作を行う際にその操作を行うための箇所であって、該第１の開閉片及び／又は該第２の開閉片をそれぞれその厚さ方向に屈曲させることにより設けられていることを特徴とする装身具用留め具。
【請求項３】
請求項１又は２に記載した装身具用留め具であって、前記第１の開閉片及び／又は前記第２の開閉片の外面上に、着用者が該装身具用留め具の開閉操作を行う際に操作する手指が滑らないように滑り止め部が設けられていることを特徴とする装身具用留め具。
【請求項４】
請求項１から３までに記載した装身具用留め具であって、前記第１の開閉片及び前記第２の開閉片には、それぞれその対向する位置に嵌合雄部と嵌合雌部とが設けられており、該嵌合雄部と該嵌合雌部とは、該嵌合雄部を該嵌合雌部に嵌合することによって着用者が該第１の開閉片と該第２の開閉片とを正確に閉じ合わせたことを確認するための箇所であって、該嵌合雄部は該嵌合雌部に対して突出した形状であり、該嵌合雌部は該嵌合雄部に対して窪んだ形状であることを特徴とする装身具用留め具。
【請求項５】
請求項１から４までに記載した装身具用留め具であって、回動範囲制限部が設けられており、該回動範囲制限部は、前記第１の開閉片における接合部が回動する範囲を制限することによって、前記開口部が装身具の端部を着脱するために必要な範囲を超えて過度に開いてしまうことを防止するための箇所であって、前記第２の開閉片の一部が該第１の開閉片へと向かって屈曲して延びており、該第１の開閉片における接合部が回動する際にその上縁を抑えるようになっていることを特徴とする装身具用留め具。
【請求項６】
請求項１から５までに記載した装身具用留め具であって、前記接合部材がリベットであることを特徴とする装身具用留め具。
【請求項７】
請求項１から６までに記載した装身具用留め具であって、緩衝部材を備えており、該緩衝部材は、前記第１の開閉片と前記第２の開閉片とが直接接触することを防止するための部材であって、リング状の部材であり、前記接合部材に挿通されて取り付けられているとともに、該第１の開閉片と該第２の開閉片との間に挟持されていることを特徴とする装身具用留め具。
【発明の詳細な説明】
【技術分野】
【０００１】
本発明は、着用者がネックレスやブレスレット等の各種の装身具を着脱自在に着用するために、該装身具の両端部を連結するために用いる装身具用留め具であって、特に２つの開閉片を接合部材によって開閉可能に接合した装身具用留め具に関する。
【背景技術】
【０００２】
従来、上記のような装身具用留め具としては、以下のような構造を有する引き輪が用いられることが多かった。即ち、このような引き輪は、一般に、管状の部材によって円弧状に形成される本体と、該本体内を自在に摺動して該本体の開口部を自在に開閉する摺動ピンと、該摺動ピンの先端部が該本体の開口部を常時閉鎖する方向にその弾発力を付勢するスプリングとを備えており、該摺動ピンに形成した操作突起部を該本体に設けた切欠溝から外方に突出させ、該操作突起部に着用者が指先等を当接させるとともに、該スプリングの弾発力に抗して押圧して移動させることで、該開口部が開くように形成されている。
【０００３】
上記のような引き輪が広く用いられてきた理由としては、その小型化及び軽量化を図れることが考えられる。即ち、該引き輪は、着用者が前記装身具を着用した際に、美観性の観点からはこれが目立たない方がよいため、その小型化を図って目立たないようにするとともに、その軽量化を図って着用者の身体の前面に移動して来ないようにするのが好適である。
【０００４】
しかしながら、前記引き輪は、その小型化を図ると着用者が前記操作突起部に指先等を当接させることが困難になるため、着用者は前記摺動ピンを開閉させる作業を行い難いという問題があった。また、前記スプリングは、前記摺動ピンの先端部が前記本体の開口部を常時閉鎖する方向にその弾発力を付勢する必要があるため、ある程度の弾発力を有している必要があることから、着用者が該操作突起部を押圧するにはその指に負担がかかるという問題があった。
【０００５】
更に、上記のような引き輪は、前記本体が管状の部材によって形成されているため、例えば、着用者が前記装身具を着脱する際に該装身具が衝突することで変形する等して破損し、その結果前記摺動ピンによる開閉動作を阻害してしまうという問題もあった。また、前記本体が円弧状に形成されているため、各種の装身具を着用した際に、引っ張られる等して変形してしまい、その結果前記摺動ピンによる開閉動作を阻害してしまうという問題もあった。
【０００６】
加えて、一般に、装身具用留め具は、着用者が装身具を着用している際に誤って外れ難い物は装身具を着用する際に取り付け難いという問題がある一方、装身具を着用する際に取り付け易い物は装身具を着用している際に誤って外れ易いという問題があった。
【０００７】
そこで、次のような構成を有する装飾体の接続具が提案されている。即ち、各種の金属板によって形成された長方円形枠体の下部円弧部を膨出させて基部とし、一方の長径辺の基部につながる端部を切り離して片持辺とし、これを基部との間に開環間隙部を形成するとともに、その対角位置に他方の長径辺を上部に延長して爪片を形成させたフックを２個それぞれ対称的に重ね合わせて該基部中心において鳩目で接続したことを特徴とする装飾体の接続具である（例えば、下記の特許文献１を参照）。
【先行技術文献】
【特許文献】
【０００８】
【特許文献１】実開昭５３−２３４９２号公報
【発明の概要】
【発明が解決しようとする課題】
【０００９】
確かに、上記の従来技術に係る装飾体の接続具によれば、前記フックの片持辺が充分に長く、長径辺と片持辺との重なり部分の距離が大であり、装飾体の末端リングが装着状態では常にその重なり部分に被嵌するため、着用者が装身具を着用している際に誤って外れ難くすることができる。更に、該装飾体の接続具によれば、該末端リングを基部付近まで引き寄せ、前記爪片に指先等をかけてこれを開き、該末端リングを該フックより脱出させれば、簡単に取り外すことができる（例えば、上記の特許文献１を参照。）。また、上記の従来技術に係る装飾体の接続具によれば、上記のような引き輪とは異なり、前記スプリングを使用していないため、着用者が装飾体を着脱する際に着用者の指に負担がかからない。更に、上記の従来技術に係る装飾体の接続具は、上記のような引き輪とは異なり、その主要部が金属板で形成されていることから、その構造が簡素であるため破損し難い。
【００１０】
しかしながら、上記の従来技術に係る装飾体の接続具は、全体的に金属製の平板状の部材によって形成されているとともに、着用者の指が触れる面積が狭いため、その開閉操作を行い難いという問題があった。また、該装飾体の接続具は、前記フックの片持辺が充分に長く、長径辺と片持辺との重なり部分の距離が大であるため、前記装飾体の末端リングを基部付近まで引き寄せないと、その開閉操作を行うことができないという問題があった。
【００１１】
そこで、本発明が解決しようとする第１の課題は、２つの開閉片を接合部材によって開閉可能に接合した装身具用留め具に関し、着用者が該装身具用留め具を操作し易くした装身具用留め具を提供することにある。
【００１２】
次に、上記の従来技術に係る装飾体の接続具は、上記のように全体的に平面的であって、着用者の指が触れる面積が狭いため、着用者がこれを操作するために指に当接した際に痛みを感じるという問題があった。
【００１３】
そこで、本発明が解決しようとする第２の課題は、２つの開閉片を接合部材によって開閉可能に接合した装身具用留め具に関し、着用者が該装身具用留め具を操作する際の指の痛みを軽減した装身具用留め具を提供することにある。
【００１４】
次に、上記の従来技術に係る装飾体の接続具は、特に着用者の首の後方といった装身具用留め具を視認し難い場所で操作する際に、２つの開閉片が閉じ合わされたのかどうかを確認することが困難であることから、正確に２つの開閉片が閉じ合わされていないために装身具の端部が脱落してしまうことがあった。
【００１５】
そこで、本発明が解決しようとする第３の課題は、２つの開閉片を接合部材によって開閉可能に接合した装身具用留め具に関し、装身具用留め具を視認し辛い場所で操作する際であっても、２つの開閉片が正確に閉じ合わされていることを確認することができる装身具用留め具を提供することにある。
【００１６】
また、上記の従来技術に係る装飾体の接続具は、前記２個のフックが装飾体の端部を着脱するために必要な範囲を超えて開いてしまい、該装飾体の端部が該装飾体の接続具から脱落してしまうという問題があった。
【００１７】
そこで、本発明が解決しようとする第４の課題は、２つの開閉片を接合部材によって開閉可能に接合した装身具用留め具に関し、該２つの開閉片が装身具の端部を着脱するために必要な範囲を超えて過度に開いてしまうことを防止した装身具用留め具を提供することにある。
【００１８】
更に、上記の従来技術に係る装飾体の接続具は、前記２個のフックを前記鳩目で接合しているため、その組立て時に該２個のフックを接合する間隔を調節することができず、該間隔が過度に狭いと着用者が該フックの開閉操作を行い難くなり、該間隔が過度に広いと該フックが開いてしまい、該装飾体の端部が該装飾体の接続具から脱落してしまうという問題があった。
【００１９】
そこで、本発明が解決しようとする第５の課題は、２つの開閉片を接合部材によって開閉可能に接合した装身具用留め具に関し、その組立て時に該２つの開閉片を接合する間隔を適宜調節することができる装身具用留め具を提供することにある。
【００２０】
そして、上記の従来技術に係る装飾体の接続具は、前記２個のフックが相互に接触する面積が大きいため、該装飾体の接続具を開閉する際に生じる摩擦が大きくなり、着用者がこれを開閉するのに大きな力を要することになる。
【００２１】
そこで、本発明が解決しようとする第６の課題は、２つの開閉片を接合部材によって開閉可能に接合した装身具用留め具に関し、該２つの開閉片が相互に接触する面積を低減した装身具用留め具を提供することにある。
【課題を解決するための手段】
【００２２】
本発明は、上記の各課題を解決するために提案されたものであり、以下の構成を有するものである。以下では、本発明の構成を理解することを補助するために、本願に添付した図面に表示した番号及び符号をあわせて記載する。
【００２３】
請求項１に係る装身具用留め具（１）は、２つの開閉片を接合部材によって開閉可能に接合した装身具用留め具であって、第１の開閉片（２）と、第２の開閉片（３）と、接合部材（４）とからなる。また、第１の開閉片（２）と、第２の開閉片（３）とは、接合部材（４）によって対向するようにして接合されている。
【００２４】
第１の開閉片（２）は、平板状の部材によって形成されており、取付部（２ａ）と、接合部（２ｂ）とを有している。取付部（２ａ）は、装身具（Ａ）の一端部に穿設されている取付孔を挿通させてこれを取り付けるための箇所であり、フック状であって開口部を形成しており、装身具用留め具（１）を閉じた際にその一端側が第２の開閉片（３）における閉鎖部（３ａ）に対向する。接合部（２ｂ）は、取付部（２ａ）の他端側に連接しており、第１の開閉片（２）と第２の開閉片（３）とを接合するための箇所であって、接合部材取付孔（２ｃ）を有している。接合部材取付孔（２ｃ）は、接合部材（４）を挿通させてこれを取り付けるための孔部である。
【００２５】
第２の開閉片（３）は、平板状の部材によって形成されており、閉鎖部（３ａ）と、接合部（３ｂ）とを有している。閉鎖部（３ａ）は、装身具用留め具（１）を閉じた際に、第１の開閉片（２）における取付部（２ａ）に対向することによって、開口部を閉鎖するための箇所である。接合部（３ｂ）は、第１の開閉片（２）と第２の開閉片（３）とを接合するための箇所であって、閉鎖部（３ａ）に連接しており、接合部材取付孔（３ｃ）を有している。接合部材取付孔（３ｃ）は、第１の開閉片（２）における接合部材取付孔（２ｃ）に対向する位置に設けられており、接合部材（４）を挿通させてこれを取り付けるための孔部である。
【００２６】
装身具取付け孔（２ｇ、３ｇ）は、装身具用留め具（１）に装身具（Ａ）の他端を取り付けるための孔部であり、第１の開閉片（２）又は第２の開閉片（３）に設けられている。
【００２７】
接合部材（４）は、第１の開閉片（２）と第２の開閉片（３）とを開閉可能に接合するための棒状の部材であって、第１の開閉片（２）における接合部材取付孔（２ｃ）と第２の開閉片（３）における接合部材取付孔（３ｃ）とに挿通され取り付けられている。
【００２８】
請求項２に係る装身具用留め具（１）は、請求項１に記載した装身具用留め具（１）であって、第１の開閉片（２）及び／又は第２の開閉片（３）は、操作部（２ｄ、３ｄ）を有している。操作部（２ｄ、３ｄ）は、着用者が第１の開閉片（２）と第２の開閉片（３）の開閉操作を行う際にその操作を行うための箇所であって、第１の開閉片（２）及び／又は第２の開閉片（３）をそれぞれその厚さ方向に屈曲させることにより設けられている。
【００２９】
請求項３に係る装身具用留め具（１）は、請求項１又は２に記載した装身具用留め具（１）であって、第１の開閉片（２）及び／又は第２の開閉片（３）の外面上に、着用者が装身具用留め具（１）の開閉操作を行う際に操作する手指が滑らないように滑り止め部（２ｅ、３ｅ）が設けられている。
【００３０】
請求項４に係る装身具用留め具（１）は、請求項１から３までに記載した装身具用留め具（１）であって、第１の開閉片（２）及び第２の開閉片（３）には、それぞれその対向する位置に嵌合雄部（２ｆ）と嵌合雌部（３ｆ）とが設けられている。嵌合雄部（２ｆ）と嵌合雌部（３ｆ）とは、嵌合雄部（２ｆ）を嵌合雌部（３ｆ）に嵌合することによって着用者が第１の開閉片（２）と第２の開閉片（３）とを正確に閉じ合わせたことを確認するための箇所である。嵌合雄部（２ｆ）は嵌合雌部（３ｆ）に対して突出した形状であり、嵌合雌部（３ｆ）は嵌合雄部（２ｆ）に対して窪んだ形状である。
【００３１】
請求項５に係る装身具用留め具（１）は、請求項１から４までに記載した装身具用留め具（１）であって、回動範囲制限部（３ｈ）が設けられている。回動範囲制限部（３ｈ）は、第１の開閉片（２）における接合部（２ｂ）が回動する範囲を制限することによって、前記開口部が装身具（Ａ）の端部を着脱するために必要な範囲を超えて過度に開いてしまうことを防止するための箇所であって、第２の開閉片（３）の一部が第１の開閉片（２）へと向かって屈曲して延びており、第１の開閉片（２）における接合部（２ｂ）が回動する際にその上縁を抑えるようになっている。
【００３２】
請求項６に係る装身具用留め具（１）は、請求項１から５までに記載した装身具用留め具（１）であって、接合部材（４）がリベットである。
【００３３】
請求項７に係る装身具用留め具（１）は、請求項１から６までに記載した装身具用留め具（１）であって、緩衝部材（５）を備えている。緩衝部材（５）は、第１の開閉片（２）と第２の開閉片（３）とが直接接触することを防止するための部材であって、リング状の部材であり、接合部材（４）に挿通されて取り付けられているとともに、第１の開閉片（２）と第２の開閉片（３）との間に挟持されている。
【発明の効果】
【００３４】
本発明に係る装身具用留め具（１）は、上記の通りの構成であるから、以下のような効果を奏することができる。
【００３５】
まず、請求項１に記載した装身具用留め具（１）は、第１の開閉片（２）と、第２の開閉片（３）とは、対向するようにして接合部材（４）によって接合されているため、着用者は装身具用留め具（Ａ）を着脱する際に、第１の開閉片（２）又は第２の開閉片（３）を押し上げたり押し下げたりして、状況に応じて適当に操作して、装身具用留め具（１）の開閉操作を行うことができる。
【００３６】
特に、請求項２に係る装身具用留め具（１）は、第１の開閉片（２）及び／又は第２の開閉片（３）に、操作部（２ｄ、３ｄ）を有しており、操作部（２ｄ、３ｄ）は、第１の開閉片（２）及び／又は第２の開閉片（３）をその厚さ方向に屈曲させることにより設けられていることから、着用者が指で摘み易くなるため、装身具用留め具（１）の開閉操作を行い易い。
【００３７】
また、請求項３に係る装身具用留め具（１）は、第１の開閉片（２）及び／又は第２の開閉片（３）の外面上に滑り止め部（２ｅ、３ｅ）が設けられているため、着用者が装身具用留め具（１）の開閉操作を行う際に操作する手指が滑らなくなり、装身具用留め具（１）の開閉操作を一層行い易い。
【００３８】
従って、請求項１ないし３に記載した装身具用留め具（１）は、２つの開閉片を接合部材によって開閉可能に接合した装身具用留め具に関し、着用者が該装身具用留め具を操作し易くした装身具用留め具を提供するという本発明の第１の課題を解決することができる。
【００３９】
また、請求項１ないし３に記載した装身具用留め具（１）は上記のような形状であるとともに、着用者の指が触れる面積が広いため、着用者が該装身具用留め具を操作する際の指の痛みが軽減されている。
【００４０】
従って、請求項１ないし３に記載した装身具用留め具（１）は、２つの開閉片を接合部材によって開閉可能に接合した装身具用留め具に関し、着用者が該装身具用留め具を操作する際の指の痛みを軽減した装身具用留め具を提供するという本発明の第２の課題を解決することができる。
【００４１】
次に、請求項４に記載した装身具用留め具（１）は、嵌合雄部（２ｆ）を嵌合雌部（３ｆ）に嵌合させることによって得られる感覚によって、着用者は第１の開閉片（２）と第２の開閉片（３）とが正確に閉じ合わされたことを確認することができる。
【００４２】
従って、請求項４に記載した装身具用留め具（１）は、２つの開閉片を接合部材によって開閉可能に接合した装身具用留め具に関し、装身具用留め具を視認し辛い場所で操作する際であっても、２つの開閉片が正確に閉じ合わされていることを確認することができる装身具用留め具を提供するという本発明の第３の課題を解決することができる。
【００４３】
また、請求項５に記載した装身具用留め具（１）は、回動範囲制限部（３ｈ）が設けられていることから、第１の開閉片（２）における接合部（２ｂ）が回動する際にその上縁を抑えることができるため、前記開口部が装身具（Ａ）の端部を着脱するために必要な範囲を超えて過度に開いてしまうことを防止することができる。
【００４４】
従って、請求項５に記載した装身具用留め具（１）は、２つの開閉片を接合部材によって開閉可能に接合した装身具用留め具に関し、該開閉片が装身具の端部を着脱するために必要な範囲を超えて過度に開いてしまうことを防止した装身具用留め具を提供するという本発明が解決しようとする第４の課題を解決することができる。
【００４５】
更に、請求項６に記載した装身具用留め具（１）は、接合部材（４）がリベットであるから、該リベットの端部を塑性変形させる度合いを調節することによって、装身具用留め具（１）を組み立てる際に、第１の開閉片（２）と第２の開閉片（３）とを接合する間隔を適宜調節することができる。
【００４６】
従って、請求項６に記載した装身具用留め具（１）は、２つの開閉片を接合部材によって開閉可能に接合した装身具用留め具に関し、その組立て時に該２つの開閉片を接合する間隔を適宜調節することができる装身具用留め具を提供するという本発明が解決しようとする第５の課題を解決することができる。
【００４７】
そして、請求項７に記載した装身具用留め具（１）は、リング状の部材である緩衝部材（５）が接合部材（４）に挿通されて取り付けられているとともに、第１の開閉片（２）と第２の開閉片（３）との間に挟持されているため、第１の開閉片（２）と第２の開閉片（３）とが接合部材取付孔（２ｃ、３ｃ）の近傍において直接接触することがない。
【００４８】
従って、請求項５に記載した装身具用留め具（１）は、２つの開閉片を接合部材によって開閉可能に接合した装身具用留め具に関し、該２つの開閉片が接触する面積を低減した装身具用留め具を提供するという本発明が解決しようとする第６の課題を解決することができる。
【００４９】
もちろん、本発明に係る装身具用留め具（１）は、着用者が接合部材（４）を回動軸として第１の開閉片（２）又は第２の開閉片（３）を回動させれば、簡便にこれを開閉することができる。しかも、取付部（２ａ）が装身具（Ａ）の一端部に穿設されている取付孔を挿通させてこれを取り付けることができるため、不意に装身具（Ａ）が取り外されれてしまうおそれを低減している。また、装身具用留め具（１）によれば、上記のような引き輪におけるようなスプリングを使用していないため、着用者が装身具を着脱する際に着用者の指に負担がかからない。更に、装身具用留め具（１）は、上記のような引き輪とは異なり、その主要部が平板状の部材を加工して形成されていることから、その構造が簡素であるため破損し難い。
【図面の簡単な説明】
【００５０】
【図１】本発明の第１実施形態に係る装身具用留め具の正面図である。
【図２】本発明の第１実施形態に係る装身具用留め具を分解した状態を示した正面図である。
【図３】本発明の第１実施形態に係る装身具用留め具の平面図である。
【図４】本発明の第１実施形態に係る装身具用留め具を分解した状態を示した平面図である。
【図５】本発明の第１実施形態に係る装身具用留め具に装身具を着脱する状態を示した正面図である。
【図６】本発明の第１実施形態に係る装身具用留め具に装身具を取り付けた状態を示した正面図である。
【図７】本発明の第１実施形態に係る装身具用留め具の正面図である。
【図８】本発明の第１実施形態に係る装身具用留め具の平面図である。
【図９】本発明の第２実施形態に係る装身具用留め具の正面図である。
【図１０】本発明の第２実施形態に係る装身具用留め具を分解した状態を示した正面図である。
【図１１】本発明の第２実施形態に係る装身具用留め具の平面図である。
【図１２】本発明の第２実施形態に係る装身具用留め具を分解した状態を示した平面図である。
【図１３】本発明の第２実施形態に係る装身具用留め具に装身具を着脱する状態を示した正面図である。
【図１４】本発明の第２実施形態に係る装身具用留め具に装身具を取り付けた状態を示した正面図である。
【発明を実施するための形態】
【００５１】
以下、本発明の第１実施形態に係る装身具用留め具（１）の構造及びその使用態様について添付図面に基づいて説明する。まず、本発明の第１実施形態に係る装身具用留め具（１）の構造について添付図面に基づいて説明する。
【００５２】
装身具用留め具（１）は、図１ないし８に図示するように、第１の開閉片（２）と、第２の開閉片（３）と、接合部材（４）と、緩衝部材（５）とから構成される。また、第１の開閉片（２）と、第２の開閉片（３）とは、接合部材（４）によって対向するようにして接合されている。
【００５３】
第１の開閉片（２）は、平板状の部材によって形成されており、各種の公知の金属板によって形成することができる。第１の開閉片（２）は、図１ないし８に図示するように、取付部（２ａ）と、接合部（２ｂ）とを有している。
【００５４】
取付部（２ａ）は、装身具（Ａ）の一端部に穿設されている取付孔を挿通させてこれを取り付けるための箇所であり、フック状であって開口部を形成しており、装身具用留め具（１）を閉じた際にその一端側が第２の開閉片（３）における閉鎖部（３ａ）に対向する。尚、取付部（２ａ）を第２の開閉片（３）に向かって更に延設することによって、第１の開閉片（２）と第２の開閉片（３）とを開いた際に開放される範囲を狭くすることができる。そうすると、第１の開閉片（２）又は第２の開閉片（３）が不意に動いてしまった場合でも、装身具（Ａ）の端部が脱出してしまうことを防止でき、好適である。
【００５５】
接合部（２ｂ）は、取付部（２ａ）の他端側に連接しており、第１の開閉片（２）と第２の開閉片（３）とを接合するための箇所であって、接合部材取付孔（２ｃ）を有している。図では、接合部（２ｂ）は、正面視円状に形成されているが、特にこの形状に限定されるものではない。
【００５６】
接合部材取付孔（２ｃ）は、接合部材（４）を挿通させてこれを取り付けるための孔部である。図では、接合部材取付孔（２ｃ）は、接合部（２ｂ）の中央に穿設されているが、特にこの位置に限定されるものではない。
【００５７】
装身具取付け孔（２ｇ）は、装身具用留め具（１）に装身具（Ａ）の他端を取り付けるための孔部である。装身具取付け孔（２ｇ）は、図では、正円状であり、また、接合部（２ｂ）の端部に穿設されているが、特にこのような形状及び位置に限定されるものではない。
【００５８】
第１の開閉片（２）の外面上には、着用者が装身具用留め具（１）の開閉操作を行う際に操作する手指が滑らないように滑り止め部（２ｅ）が設けられている。図１ないし６では、滑り止め部（２ｅ）として、取付部（２ａ）の上面に複数の三角形状の溝を並行に設けているが、特にこのような態様に限定されるものではなく、また、この位置に限定されるものではない。
【００５９】
第２の開閉片（３）は、平板状の部材によって形成されており、各種の公知の金属板によって形成することができる。第２の開閉片（３）は、図１ないし８に図示するように、閉鎖部（３ａ）と、接合部（３ｂ）とを有している。
【００６０】
閉鎖部（３ａ）は、装身具用留め具（１）を閉じた際に、第１の開閉片（２）における取付部（２ａ）に対向することによって、開口部を閉鎖するための箇所である。即ち、図では、閉鎖部（３ａ）は、接合部（３ｂ）から取付部（２ａ）に向って延設され、下方向に屈曲し、更に接合部（３ｂ）に向って屈曲し延設されている。尚、閉鎖部（３ａ）を第１の開閉片（２）における取付部（２ａ）に向かって更に延設することによって、第１の開閉片（２）と第２の開閉片（３）とを開いた際に開放される範囲を狭くすることができる。そうすると、第１の開閉片（２）又は第２の開閉片（３）が不意に動いてしまった場合でも、装身具（Ａ）の端部が脱出してしまうことを防止できる。
【００６１】
接合部（３ｂ）は、第１の開閉片（２）と第２の開閉片（３）とを接合するための箇所であって、閉鎖部（３ａ）に連接しており、接合部材取付孔（３ｃ）を有している。接合部（３ｂ）の態様は、特に図示した態様に限定されるものではない。
【００６２】
接合部材取付孔（３ｃ）は、第１の開閉片（２）における接合部材取付孔（２ｃ）に対向する位置に設けられており、接合部材（４）を挿通させてこれを取り付けるための孔部である。接合部材取付孔（３ｃ）は、図では、接合部（３ｂ）の中央に設けられているが、第１の開閉片（２）における接合部材取付孔（２ｃ）に対向する位置に設けられていればよく、特にこの位置に限定されるものではない。
【００６３】
第２の開閉片（３）の外面上には、着用者が装身具用留め具（１）の開閉操作を行う際に操作する手指が滑らないように滑り止め部（３ｅ）が設けられている。図では、滑り止め部（３ｅ）として、接合部（３ｂ）の下面に斜め下方に延びる突起を設けている。あるいは、図７及び８に図示するように、滑り止め部（２ｅ，３ｅ）として、第１の開閉片（２）と第２の開閉片（３）に双方が対応するような形状による凹凸を設けたり、第１の開閉片（２）における接合部（２ｂ）に第２の開閉片（３）における接合部（３ｂ）の周囲を囲うようにして複数の突起を設けても良い。特に、第１の開閉片（２）と第２の開閉片（３）に凹凸を設けることによって、着用者は装身具用留め具（１）を安定的に開閉操作することができ、好適である。もっとも、滑り止め部（２ｅ、３ｅ）は、特にこのような態様に限定されるものではなく、また、この位置に限定されるものではない。
【００６４】
接合部材（４）は、図１ないし８に図示するように、第１の開閉片（２）と第２の開閉片（３）とを開閉可能に接合するための棒状の部材であって、第１の開閉片（２）における接合部材取付孔（２ｃ）と第２の開閉片（３）における接合部材取付孔（３ｃ）とに挿通され取り付けられている。
【００６５】
ここで、接合部材（４）としては、例えば各種の公知のねじや釘等を用いることができるが、リベットを用いるのが好適である。即ち、接合部材（４）としてリベットを用いると、該リベットの端部を塑性変形させる度合いを調節することによって、装身具用留め具（１）を組み立てる際に、第１の開閉片（２）と第２の開閉片（３）とを接合する間隔を適宜調節することができるためである。
【００６６】
緩衝部材（５）は、図２ないし４に図示するように、第１の開閉片（２）と第２の開閉片（３）とが接合部材取付孔（２ｃ、３ｃ）において直接接触することを防止するための部材であって、リング状の部材であり、接合部材（４）に挿通されて取り付けられているとともに、第１の開閉片（２）と第２の開閉片（３）との間に挟持されている。緩衝部材（５）としては、例えば各種の公知の座金、皿ばね、あるいはウェーブワッシャー等を用いることができる。
【００６７】
以上が、本発明の第１実施形態に係る装身具用留め具（１）の構造についての説明である。次に、本発明の第１実施形態に係る装身具用留め具（１）の使用態様について添付図面に基づいて説明する。
【００６８】
着用者は、図５に図示するように、装身具（Ａ）の一端を装身具用留め具（１）に着脱する際、第２の開閉片（３）と装身具（Ａ）の他端とを摘むとともに、第２の開閉片（３）を摘んで、第２の開閉片（３）を第１の開閉片（２）に対して押し下げたり、第１の開閉片（２）を第２の開閉片（３）に対して押し下げたりすると、第１の開閉片（２）又は第２の開閉片（３）が接合部材（４）を回動軸にして回動し、開口部を開放することができる。
【００６９】
このとき、第１の開閉片（２）と第２の開閉片（３）とが接合部材取付孔（２ｃ、３ｃ）の近傍において接触する面積が大きいと、装身具用留め具（１）を開閉する際に生じる摩擦が大きくなり、着用者がこれを開閉するのに大きな力を要することになる。また、第１の開閉片（２）と第２の開閉片（３）とがお互いに擦れて傷の付く面積が大きくなるため、装身具用留め具（１）の美観にも悪影響を及ぼすことになる。
【００７０】
しかしながら、装身具用留め具（１）が緩衝部材（５）を備えることによって第１の開閉片（２）と第２の開閉片（３）とが接合部材取付孔（２ｃ、３ｃ）の近傍において直接接触することがない。よって、装身具用留め具（１）は、装身具用留め具（１）を開閉する際に生じる摩擦は少なくなっており、着用者はこれを開閉するのに大きな力を要することがない。また、第１の開閉片（２）と第２の開閉片（３）とが接合部材取付孔（２ｃ、３ｃ）の近傍において接触するのは緩衝部材（４）についてであって、その接触する面積は小さいため、擦れて傷がついたとしても、その美観に悪影響を及ぼすおそれも少ない。
【００７１】
そして、着用者は、装身具用留め具（１）に装身具（Ａ）を取り付ける際は、第１の開閉片（２）における取付部（２ａ）に装身具（Ａ）の端部に穿設されている孔部を挿通させることによって、装身具用留め具（１）に装身具（Ａ）を取り付けるのである。一方、装身具用留め具（１）から装身具（Ａ）を取り外す際は、着用者は装身具（Ａ）の端部に穿設されている孔部から第１の開閉片（２）における取付部（２ａ）を脱出させることによって、装身具用留め具（１）から装身具（Ａ）を取り外すのである。
【００７２】
そして、着用者は、図６に図示するように、第２の開閉片（３）と装身具（Ａ）の他端とを摘むとともに、第１の開閉片（２）と装身具（Ａ）の一端とを摘んで、第２の開閉片（３）を第１の開閉片（２）に対して押し上げたり、第１の開閉片（２）を第２の開閉片（３）に対して押し上げたりすると、第１の開閉片（２）又は第２の開閉片（３）が接合部材（４）を回動軸として回動し、開口部を閉鎖することができる。
【００７３】
このように、装身具用留め具（１）は、第１の開閉片（２）と第２の開閉片（３）とは、対向するようにして接合部材（４）によって接合されているため、着用者は装身具用留め具（Ａ）を着脱する際に、第１の開閉片（２）又は第２の開閉片（３）を押し上げたり押し下げたりして、状況に応じて適当に操作して、装身具用留め具（１）の開閉操作を行うことができる。また、装身具用留め具（１）は、第１の開閉片（２）及び／又は第２の開閉片（３）の外面上に滑り止め部（２ｅ、３ｅ）が設けられているため、着用者が装身具用留め具（１）の開閉操作を行う際に操作する手指が滑らなくなり、装身具用留め具（１）の開閉操作を一層行い易くなる。そして、装身具用留め具（１）は上記のような形状であるとともに、着用者の指が触れる面積が広いため、着用者が該装身具用留め具を操作する際の指の痛みが軽減されている。
【００７４】
装身具用留め具（１）は、着用者が接合部材（４）を回動軸として第１の開閉片（２）又は第２の開閉片（３）を回動させれば、簡便にこれを開閉することができる。しかも、取付部（２ａ）が装身具（Ａ）の一端部に穿設されている取付孔を挿通させてこれを取り付けることができるため、不意に装身具（Ａ）が取り外されれてしまうおそれを低減している。また、装身具用留め具（１）によれば、上記のような引き輪におけるようなスプリングを使用していないため、着用者が装身具を着脱する際に着用者の指に負担がかからない。更に、装身具用留め具（１）は、上記のような引き輪とは異なり、その主要部が平板状の部材を加工して形成されていることから、その構造が簡素であるため破損し難い。
【００７５】
以上が、本発明の第１実施形態に係る装身具用留め具（１）の構造及びその使用態様についての説明である。次に、本発明の第２実施形態に係る装身具用留め具（１）の構造及びその使用態様について添付図面に基づいて説明する。尚、本発明の第２実施形態に係る装身具用留め具の構造及びその使用態様は、下記の事項以外、前記の本発明の第１実施形態に係る装身具用留め具の構造及びその使用態様と同一である。まず、本発明の第２実施形態に係る装身具用留め具（１）の構造について添付図面に基づいて説明する。
【００７６】
第１の開閉片（２）は、図９ないし１４に図示するように、操作部（２ｄ）を有している。操作部（２ｄ）は、着用者が第１の開閉片（２）と第２の開閉片（３）の開閉操作を行う際にその操作を行うための箇所であって、第１の開閉片（２）をその厚さ方向に屈曲させることにより設けられている。具体的には、操作部（２ｄ）は、第１の開閉片（２）の下部の一部を屈曲させ、第２の開閉片（３）とは反対方向に延設し、着用者が操作し易いように、その先端を平面視正円状に膨出させている。もっとも、操作部（２ｄ）は、このような形状に限定されるものではない。このように、第１の開閉片（２）をその厚さ方向に屈曲させることによって、これを平面状のままにするよりも、その強度を増すことができる。
【００７７】
第１の開閉片（２）における接合部（２ｂ）は、取付部（２ａ）の下部の一部を下方に向かって正面視半円状に膨出させることによって設けられている。接合部材取付孔（２ｂ１）は、接合部（２ｂ）の中央やや下寄りに設けられている。もっとも、接合部材取付孔（２ｂ１）は、特にこの位置に限定されるものではない。
【００７８】
嵌合雄部（２ｆ）は、第２の開閉片（３）に設けられた嵌合雌部（３ｆ）に嵌合させることによって着用者が第１の開閉片（２）と第２の開閉片（３）とを正確に閉じ合わせたことを確認するための箇所であって、嵌合雌部（３ｆ）に対向する位置に設けられており、嵌合雌部（３ｆ）に対して突出した形状になっている。即ち、図示するように、第１の開閉片（２）の取付部（２ａ）の一端部の中心部を第２の開閉片（３）の方向に平面視半円状に膨出させ、その中央を第２の開閉片（３）における嵌合雌部（３ｆ）に向かって円状に窪ませることによって嵌合雄部（２ｆ）を形成している。
【００７９】
滑り止め部（２ｅ）は、図では、第１の開閉片（２）における取付部（２ａ）の上面に複数の三角形状の溝を設けることによって形成されているが、特にこのような形状に限定されるものではなく、また、この位置に限定されるものではない。
【００８０】
第２の開閉片（３）は、図９ないし１４に図示するように、操作部（３ｄ）を有している。操作部（３ｄ）は、着用者が第１の開閉片（２）と第２の開閉片（３）の開閉操作を行う際にその操作を行うための箇所であって、第１の開閉片（２）をその厚さ方向に屈曲させることにより設けられている。具体的には、操作部（３ｄ）は、第２の開閉片（３）の下部の一部を屈曲させ、第１の開閉片（２）とは反対方向に延設し、着用者が操作し易いように、その先端を平面視正円状に膨出させている。もっとも、操作部（３ｄ）は、このような形状に限定されるものではない。このように、第２の開閉片（３）をその厚さ方向に屈曲させることによって、これを平面状のままにするよりも、その強度を増すことができる。
【００８１】
第２の開閉片（３）における閉鎖部（３ａ）は、図示するように、適宜第１の開閉片（２）に向かって短く突出させてもよい。尚、閉鎖部（３ａ）を上方に向かって更に延設することによって、第１の開閉片（２）と第２の開閉片（３）とを開いた際に開放される範囲を狭くすることができる。そうすると、第１の開閉片（２）又は第２の開閉片（３）が不意に動いてしまった場合でも、装身具（Ａ）の端部が脱出してしまうことを防止できる。
【００８２】
第２の開閉片（３）における接合部（２ｂ）は、閉鎖部（３ａ）の第１の開閉片（２）側の先端部を第１の開閉片（２）に向かって正面視円状に膨出させることによって形成されている。接合部材取付孔（３ｃ）は、第１の開閉片（２）における接合部材取付孔（２ｃ）に対向する位置に設けられており、接合部材（４）を挿通させてこれを取り付けるための孔部である。接合部材取付孔（３ｃ）は、図では、接合部（３ｂ）の中央やや下寄りに設けられているが、第１の開閉片（２）における接合部材取付孔（２ｃ）に対向する位置に設けられていればよく、特にこの位置に限定されるものではない。
【００８３】
嵌合雌部（３ｆ）は、第１の開閉片（２）に設けられた嵌合雄部（２ｆ）を嵌合させることによって着用者が第１の開閉片（２）と第２の開閉片（３）とを正確に閉じ合わせたことを確認するための箇所であって、嵌合雄部（２ｆ）に対向する位置に設けられており、嵌合雌部（３ｆ）は嵌合雄部（２ｆ）に対して窪んだ形状になっている。即ち、第２の開閉片（３）の閉鎖部（３ａ）において、円状の孔部が穿設されているとともに、該孔部の縁部には嵌合雄部（２ｆ）に向かって正円状の凸条が設けられている。
【００８４】
回動範囲制限部（３ｈ）は、第１の開閉片（２）における接合部（２ｂ）が回動する範囲を制限することによって、第１の開閉片（２）が装身具（Ａ）の端部を着脱するために必要な範囲を超えて過度に開いてしまうことを防止するための箇所であって、第２の開閉片（３）の一部が第１の開閉片（２）へと向かって屈曲して延びており、第１の開閉片（２）における接合部（２ｂ）が回動する際にその上縁を抑えるようになっている。
【００８５】
装身具取付け孔（３ｇ）は、図では、正円状であり、また、閉鎖部（３ａ）の中央部に穿設されているが、特にこの形状及び位置に限定されるものではない。
【００８６】
以上が、本発明の第２実施形態に係る装身具用留め具（１）の構造についての説明である。次に、本発明の第２実施形態に係る装身具用留め具（１）の使用態様について添付図面に基づいて説明する。
【００８７】
着用者は、図１３に図示するように、装身具（Ａ）の一端を装身具用留め具（１）に着脱する際、第２の開閉片（３）における操作部（３ｄ）と装身具（Ａ）の他端とを摘み、第１の開閉片（２）における操作部（２ｄ）を摘んで、第１の開閉片（２）を第２の開閉片（３）に対して押し下げたり、第２の開閉片（３）を第１の開閉片（２）に対して押し下げたりすると、第１の開閉片（２）が接合部材（４）を回動軸にして回動し、開口部を開放することができる。尚、装身具用留め具（１）は、装身具取付け孔（３ｇ）に装身具（Ａ）の他端を直接取り付けてもよいが、図示するように、装身具取付け孔（３ｇ）に前記のような引き輪（Ｂ）を介して装身具（Ａ）の他端を取り付けることも可能である。
【００８８】
このとき、装身具用留め具（１）は、回動範囲制限部（３ｈ）を備えていることにより、回動範囲制限部（３ｈ）が接合部（２ｂ）の上縁を抑えることによって、第１の開閉片（２）が装身具（Ａ）の端部を着脱するために必要な範囲を超えて過度に開いてしまうことを防止することができる。
【００８９】
そして、着用者は、装身具用留め具（１）に装身具（Ａ）を取り付ける際は、第１の開閉片（２）における取付部（２ａ）に装身具（Ａ）の端部に穿設されている孔部を挿通させることによって、装身具用留め具（１）に装身具（Ａ）を取り付けるのである。一方、装身具用留め具（１）から装身具（Ａ）を取り外す際は、着用者は装身具（Ａ）の端部に穿設されている孔部から第１の開閉片（２）における取付部（２ａ）を脱出させることによって、装身具用留め具（１）から装身具（Ａ）を取り外すのである。
【００９０】
そして、着用者は、図１４に図示するように、第２の開閉片（３）における操作部（３ｄ）と装身具（Ａ）の他端とを摘み、第１の開閉片（２）における操作部（２ｄ）と装身具（Ａ）の一端とを摘んで、第１の開閉片（２）を第２の開閉片（３）に対して押し上げたり、第２の開閉片（３）を第１の開閉片（２）に対して押し上げたりすると、第１の開閉片（２）が接合部材（４）を回動軸として回動し、開口部を閉鎖することができる。
【００９１】
このとき、装身具用留め具（１）は、第１の開閉片（２）及び／又は第２の開閉片（３）に、操作部（２ｄ、３ｄ）を有しており、操作部（２ｄ、３ｄ）は、第１の開閉片（２）及び／又は第２の開閉片（３）をその厚さ方向に屈曲させることにより設けられていることから、着用者が指で摘み易くなるため、装身具用留め具（１）の開閉操作を行い易い。
【００９２】
また、装身具用留め具（１）は、嵌合雄部（２ｆ）を嵌合雌部（３ｆ）に嵌合させることによって得られる感覚によって、着用者は第１の開閉片（２）と第２の開閉片（３）とが正確に閉じ合わされたことを確認することができる。
【符号の説明】
【００９３】
１  装身具用留め具
２  第１の開閉片
２ａ  取付部
２ｂ  接合部
２ｃ  接合部材取付孔
２ｄ  操作部
２ｅ  滑り止め部
２ｆ  嵌合雄部
２ｇ  装身具取付孔
３  第２の開閉片
３ａ  閉鎖部
３ｂ  接合部
３ｃ  接合部材取付孔
３ｄ  操作部
３ｅ  滑り止め部
３ｆ  嵌合雌部
３ｇ  装身具取付け孔
３ｈ  回動範囲制限部
４  接合部材
５  緩衝部材
Ａ  装身具
Ｂ  引き輪
【図１】
2018108299.tif 000003
【図２】
2018108299.tif 000004
【図３】
2018108299.tif 000005
【図４】
2018108299.tif 000006
【図５】
2018108299.tif 000007
【図６】
2018108299.tif 000008
【図７】
2018108299.tif 000009
【図８】
2018108299.tif 000010
【図９】
2018108299.tif 000011
【図１０】
2018108299.tif 000012
【図１１】
2018108299.tif 000013
【図１２】
2018108299.tif 000014
【図１３】
2018108299.tif 000015
【図１４】
2018108299.tif 000016